(57)【特許請求の範囲】
【請求項１】
内部が大気圧環境下におかれる筐体と、
外気を当該筐体内に導入する導入口と、
当該筐体内に、当該導入口によって、筐体内に導入された外気に含まれる荷電粒子の偏向された一部を検出する検出電極と、当該検出電極に対向して設けられた電圧印加電極と、当該検出電極と電圧印加電極とを保持する電極保持部と、前記外気の導入方向が前記電極保持部により閉じられる壁とを備え、
当該電極保持部は吸水率が0.4以下の材料より形成されていることを特徴とするイオン検出装置。
【請求項２】
請求項１に記載のイオン検出装置において、
前記電圧印加電極に電圧を印加する制御部を有することを特徴とするイオン検出装置。
【請求項３】
請求項１に記載のイオン検出装置において、
前記筐体内に外気が滞留することを防ぐ排気手段を備えることを特徴とするイオン検出装置。
【請求項４】
請求項１に記載のイオン検出装置において、
前記電極保持部がセラミックまたはポリアセタールにより形成されていることを特徴とするイオン検出装置。
【請求項５】
大気圧下におかれた筐体内に気体を導入する導入口と、当該導入された気体の流入通路を当該筺体内における重力方向に向かって形成する、イオンを捕集する第一電極と電圧印加可能な第二電極と、
前記第一電極に接続された電流計測手段と、
当該電流計測手段における計測結果を基に、当該気体に含まれる成分を分析するデータ解析装置を有し、
前記第一電極及び前記第二電極を保持する電極保持部を備え、
当該筐体内において前記気体の導入方向が前記電極保持部により閉じられる壁を有し、
当該電極保持部は吸水率が0.4以下の材料より形成されていることを特徴とするイオン検出装置。
【請求項６】
請求項５に記載のイオン検出装置において、
前記電極保持部がセラミックまたはポリアセタールにより形成されていることを特徴とするイオン検出装置。
【請求項７】
請求項６に記載のイオン検出装置において、さらに前記気体を検出するセンサーを有し、
前記センサーは、アルコールセンサーであることを特徴とするイオン検出装置。
【請求項８】
請求項７に記載のイオン検出装置において、
前記センサーによって検出される検出信号を元に呼気スペクトルを算出する演算手段を備えることを特徴とするイオン検出装置。
【請求項９】
請求項８に記載のイオン検出装置において、
前記呼気スペクトルから呼気のピークを特定し、
呼気ピークの時間変化を検出することを特徴とするイオン検出装置。
【請求項１０】
請求項１に記載のイオン検出装置において、
前記導入口にチューブが接続可能であることを特徴とするイオン検出装置。
【請求項１１】
請求項５に記載のイオン検出装置において、
前記導入口にチューブが接続可能であることを特徴とするイオン検出装置。
【発明の詳細な説明】
【技術分野】
【０００１】
本発明は、大気圧下におけるイオン検出を基本とした、検出装置に関する。例えば、この検出技術を基盤とした、自動車などの移動体における飲酒運転防止装置などに関する。さらに、人間の計測や、外気計測に関する。
【背景技術】
【０００２】
従来の呼気検出、呼気中アルコール検出などの技術分野においては、目的とする物質をイオン化して真空中に存在する質量分析部により検出する方法がある。
特許文献１に開示されている方法は、エレクトロスプレー法と呼ばれるイオン化法により発生した微小液滴を、真空中のセカンドチャンバーに導入して、そのチャンバー内で上方から導入されたガスとの衝突により脱溶媒化を促進し、脱溶媒化したイオンを質量分析するという方法である。
【０００３】
特許文献２に開示されている方法は、真空下のスキマーコーンおよび或いは後続のイオン収束レンズ系のレンズ電極に流入する、大気圧下で生成したイオンの電流を検出し、そのイオン電流が一定になるように電極の印加電圧を制御するものである。
【０００４】
特許文献３に記載の方法は、真空中で発生したイオンを大きく偏向して電極に衝突させ、光学系のクリーニングを行うものである。
【０００５】
特許文献４に記載の方法は、真空中に導入するイオンを、空気力学的に収束する方法である。
【０００６】
特許文献５に記載の方法は、真空中で効率的にイオンをトラップするためのイオントラップ型質量分析計に関するものである。
【０００７】
特許文献６に記載の方法は、大気圧イオン化法を用いたタンデム型質量分析計において、検出信号のＳＮ比を改善するための方法である。
上記いずれの場合においても、イオンを真空中に導入して検出することが大きな前提となっている。
【先行技術文献】
【特許文献】
【０００８】
【特許文献１】ＵＳ６２７８１１１号公報
【特許文献２】特開平０７−３２５０２０号公報
【特許文献３】特開２００３−２５７３２８号公報
【特許文献４】特表２００６−５１０９０５号公報
【特許文献５】特表２０００−５１０６３８号公報
【特許文献６】ＵＳ２００４０３１９１７号公報
【発明の概要】
【発明が解決しようとする課題】
【０００９】
上記のいずれの方法でも、生成したイオンを分析するために高真空下で動作する質量分析計を用いている。質量分析計を用いると、イオンの質量数を測定でき高精度の分析が可能となる。しかし、質量分析計のように、磁場や電場の中で、イオンを質量数毎に正確に分離させるには、目的とするイオンが中性分子と衝突しイオン軌道が変化する、あるいは衝突により目的とするイオンが分解することをできるだけ避ける必要があり、質量分析計内部は１０−２Ｐａ以下の高真空にして存在する中性分子の数を大幅に減少させることが必要である。また、目的とするイオンを高感度に検出するには、２次電子増倍管などのように、高電圧を印加して電子の増幅作用を利用するため、高真空にしておかないと、この検出器部分で放電が発生し、イオンが検出できなくなるというのも、質量分析計を高真空にする理由のひとつである。そのため、ターボ分子ポンプ、ロータリポンプなどの真空排気系を設けるため、装置が大型化するという大きな問題があった。
【００１０】
上述のように従来技術においては、磁場、電場の中で、イオンを質量数毎に分離するために、ターボ分子ポンプなどの真空排気系を設けざるを得ず、装置が大型化していた。このとき、イオンに働く力は磁場や電場による力であり、重力は関係しない。
【課題を解決するための手段】
【００１１】
上記課題を解決するための、本願発明の一例としては以下の構成となる。
筐体内が大気圧環境下であって、当該筐体内に、外気を筐体内に導入する導入口と、当該導入口によって、筐体内に導入された外気に含まれる荷電粒子の偏向された一部を検出する検出電極と、電圧印加電極とを有し、前記検出電極と前記電圧印加電極は重力方向に向かって並置され、当該検出電極と電圧印加電極とを保持する電極保持部を備え、当該電極保持部は吸水率が0.4以下の材料より形成されていることを特徴とするイオン検出装置。
【００１２】
また、他の一例としては、大気圧下におかれた筐体内に気体を導入する導入口と、当該導入された気体の流入通路を当該筺体内における重力方向に向かって形成する、イオンを補集する第一電極と電圧印加可能な第二電極と、前記第一電極に接続された電流計測手段と、当該電流計測手段における計測結果を基に、当該気体に含まれる成分を分析するデータ解析装置を有し、前記第一電極及び前記第二電極を保持する電極保持部を備え、当該電極保持部は吸水率が0.4以下の材料より形成されていることを特徴とするイオン検出装置。
【発明の効果】
【００１３】
当該分析方法は、大気圧下で動作させることから、ターボ分子ポンプのような大型の真空排気系は不要となり装置を大幅に小型化でき、課題を解決することができる。
【図面の簡単な説明】
【００１４】
【図１】本発明の装置のシステム構成図
【図２】本発明の装置の内部の構成図
【図３】本発明の装置における、検出原理
【図４】本発明の装置における、検出結果と計算結果との比較
【図５】本発明の装置の呼気センサー部の外観図
【図６】本発明の装置のシステム構成図
【図７】本発明の装置の回路構成図
【図８】本発明の装置の活用事例
【図９】本発明の装置における、呼気の連続検出例
【図１０】本発明の装置における、呼気ピーク強度の材料の吸水率依存性
【図１１】本発明の装置における、呼気の導入位置依存性
【図１２】本発明の装置における、呼気アルコールの検出アルゴリズム
【図１３】本発明の装置における、呼気ピーク強度の呼吸法による依存性
【図１４】本発明の装置における、呼気アルコールの検出例
【図１５】本発明の装置における、呼気ピーク強度と呼気アルコールピーク強度との関係
【図１６】本発明の装置における、飲酒していない状態での呼気ピークと呼気アルコールピークの検出例
【図１７】本発明の装置における、飲酒している状態での呼気ピークと呼気アルコールピークの検出例
【図１８】本発明の装置における、ヘッドセットを用いた場合のシステム構成図
【図１９】本発明の装置における、ヘッドセットを用いた場合の呼気センサー検出部
【図２０】本発明の装置における、ヘッドセットを用いた場合の呼気センサー検出部
【図２１】本発明の装置において、悪臭（アンモニア水）を嗅いだ場合の呼吸の変化
【図２２】本発明の装置において、呼気ピーク間の距離と呼気ピーク強度とのプロット図
【図２３】本発明の装置において、悪臭（アンモニア水）を嗅いだ場合の呼吸の変化を、プロットした図
【図２４】本発明の装置において、興味ある映像を見た場合の呼吸の変化
【図２５】本発明の装置において、興味ある映像を見た場合の呼吸の変化を、プロットした図
【発明を実施するための形態】
【実施例１】
【００１５】
以下の本実施例においては、イオンを検出する部分を大気圧下で動作させ、イオンに働く力を、電場による力だけでなく、大気圧下で動作させる際に特徴となる、空気抵抗、浮力、重力の作用を使用することによって、これまでの従来技術とは異なる方法でイオンの分離を行う分析方法の一例を提供する。
また、イオンに対する電場による力と重力による作用を効果的に使用する分析法を提供するために、重力とは異なる方向に電場の力を作用させイオンを分離する（例えば、重力と電場による力の方向が９０度異なるなど）ことも有効である。さらに、大気圧下で動作させてイオンを検出する場合、同様の構造を持つ検出部を複数並べて、検出感度を向上させることが容易となる。なお、イオン検出には、大気圧で動作する電流計を用いる。
【００１６】
従来の質量分析計ではあるレベルの真空に達してから試料を導入しなければならないが、大気圧下で動作する装置では電源を投入すればすぐに試料を導入して測定を開始することができる。
【００１７】
このように、簡便な方法で外気を検出することができると、空間的制約がある場所において呼気検知することが可能となる。例えば、自動車の車内において呼気中アルコール検査に基づく飲酒運転防止を行うことができる。
また、脳における心の活動状況を内部表現（イメージ）と考えることができるが、こうした脳内における心の感性情報の内部表現（イメージ）は、言語のほか、ジェスチャー、音声などを通して外部に表出される（感性情報の外部表現）と考えられる。呼吸もそのひとつと考えられ、その変化を検出することによって、映像、音楽などに対する興味（脳の価値判断）を間接的に計測することができる。
【００１８】
本実施例では、非接触で非侵襲に外気を検出する例を示す。具体的には、呼気を検出する例について詳述する。ここで、本例においては呼気を示すが、呼気に限らず、外気を導入して検出可能であることは云うまでも無い。
【００１９】
呼気中には、約３７℃における飽和蒸気圧レベルの水が含まれることから、呼気中の水は実質的に水クラスターとなって体外に出される。このとき、水クラスター中に、正の電荷を持つ水クラスターと負の電荷を持つ水クラスターが存在すると、電界により分離することができる。
【００２０】
このとき、一方の電圧印加電極に高電圧を印加し対向する検出電極を電流計に接続した平行平板電極中に、呼気中の水クラスターを導入すると、印加した電圧と同じ極性を持つクラスターのみが電界により偏向し、検出電極に補足され電流が検出される。すなわち、電圧印加電極に正の電圧を印加すると、検出電極には正の電荷を持つ水クラスターが捕捉され正の電流が検出される。一方、電圧印加電極に負の電圧を印加すると、検出電極には負の電荷を持つ水クラスターが捕捉され負の電流が検出される。この電流の時間変化を計測することによって、呼気を間接的に計測することができる。
通常の呼気のクラスターでは、その全体の電流量を計測すると電流量はほぼ零であることから、正の電荷を持つ水クラスターと負の電荷を持つ水クラスターは呼気中ではほぼ同数存在すると考えられる。
【００２１】
この計測装置は、筐体内に、外気を筐体内に導入する導入口と、当該導入口によって、筐体内に導入された外気に含まれる荷電粒子の偏向された一部を検出する検出電極と、電圧印加電極とを有し、前記検出電極と前記電圧印加電極が並置され、当該検出電極と電圧印加電極とを保持する電極保持部を有する。
【００２２】
また、検出システムとしてアルコールを検出する具体的な構成例を図1に示す。センサー部１ａには、呼気を導入するための試料導入口４ａと、アルコールなどを検出するためのアルコールセンサーヘッド（半導体センサーなど）と、導入された呼気の一部をセンサー部外に送り出すための送気ファン部６ａが設けられている。これには、小型のＤＣファンを使用することができる。得られた信号は、ケーブル７ａを介して、計測制御部２ａに送られる。この計測制御部には、動作中であることを示すインジケータランプ８と、得られたデータを保存するためのメモリーカードを挿入するためのメモリーカードスロット１６ａが設けられている。ここで本例では記憶装置の例としてメモリカード、メモリカードスロット１６ａを示したが、これに限らず、外部記録媒体もしくは組み込み型の記憶装置であっても良いことは云うまでも無い。
【００２３】
センサー部１ａと計測制御部２ａに供給される電源電圧は、ケーブル７ｂを介して供給される。車などでは、パワーインバータ３ａを介して電源電圧が供給されることになる。通常の家庭用電源や蓄電池を使用することも可能である。
【００２４】
図２に、検出装置であるセンサー部の内部構造を示した。図２（ａ）は、センサー部の内部を上部から見た図、図２（ｂ）は、センサー部の内部を側面から見た図である。図２（ａ）に示すように、試料導入口４ｂから導入された呼気は、電極保持部１３ａで保持された、電圧印加電極１０ａと、検出電極１１ａで挟まれた空間に導入される。電圧印加電極には電圧が印加され、検出電極では電流を検出するので、電極保持部１３ａは絶縁材である。試料の導入方向は、電極保持部１３ａで閉じられた形となっており、呼気の一部は、送気口１２ａから系の外に排気される。アルコールを検出するためのアルコールセンサーヘッド５ｂは、電圧印加電極１０ａの隣に配置されている。一方、図２（ｂ）で示すように、試料導入口４ｃから導入された呼気は電極保持部１３ｂの壁に衝突し、下向きに移動する。それから、送気口１２ｂから、呼気の一部は、送気ファン１４で系の外に排気される。ここでは送風ファン１４を挙げたが、必ずしもファンを設ける必要は無い。外部から吸気する形態を採ることも可能である。
【００２５】
図３（ａ）、図３（ｂ）に、本発明の検出原理を示した。センサー電源１７ａによって、電圧印加電極１０ｃと検出電極１１ｂの間に電位差を設ける。このとき、電圧印加電極１０ｃと検出電極１１ｂとの間に、水クラスターを含む呼気を、矢印の方向から、電圧印加電極１０ｃと検出電極１１ｂで挟まれた空間に導入すると、径の小さな電荷も持つ水クラスター１９ｂには、図３（ｂ）に示すように、空気抵抗、浮力、重力、電界による力が働く。これらの力の関係によって、電圧印加電極１０ｄに正の電圧を印加すると、正の電荷を持つ水クラスターのみが偏向し検出電極１１ｃに衝突して正の電流が検出される。一方、電圧印加電極１０ｄに負の電圧を印加すると、負の電荷を持つ水クラスターのみが偏向し検出電極１１ｃに衝突して負の電流が検出される。従って、偏向して検出電極１１ｃに衝突するのは、径の小さな電荷を持つ水クラスター１９ａであり、径の大きな電荷を持つ水クラスターは検出電極１１ｃに衝突せず検出されない。このように、本発明では、重力方向が重要であることから、重力方向に向かって、電圧印加電極１０ｄと検出電極１１ｃとの間に形成される空間に、呼気などの外気が通過できる構成とすることが肝要である。
さらには、電圧印加電極１０ｄと検出電極１１ｃは重力方向に対して並置されていることが好ましく、さらに好適には略平行に配置されていると良い。
【００２６】
以上の過程を理解するには、電荷を持つ水クラスターの重力方向の運動と、重力と直角方向の運動を解析する必要がある。まず、電荷を持つ水クラスターの重力方向の運動について解析する。
【００２７】
小さな水クラスターに働く空気抵抗は、ストークスによって球の半径ｒと重力方向の球の速度ｖｇに比例することが求められている。その大きさは、空気の粘性率ηを用いて次式で表される。
【００２８】
空気抵抗の大きさ＝６πηｒｖｇ
また、空気による浮力の大きさはその物体が排除した空気に働く重力と等しいので、半径ｒの球の場合、空気の密度ρｆ，重力加速度ｇを用いて
空気による浮力の大きさ＝（４／３）πｒ３ρｇｇ
と表される。従って，質量ｍの水クラスターが重力方向に働く運動方程式は、
ｍ・（ｄｖｇ／ｄｔ）＝（4/3）πｒ３ρｐｇ−６πηｒｖｇ−（4/3）πｒ３ρｆｇと表される。ここで、ρｆは水の密度である。１気圧、２５℃で空気中を落下する水滴を考えると、水の密度ρｐ＝９９７．０４ｋｇ／ｍ３、空気の密度ρｆ＝１．１８４３ｋｇ／ｍ３、空気の粘性率η（２５℃）＝０．００００１８２、重力加速度ｇ＝９．８０７ｍ／ｓ２、となる。ｖｇが正であれば、時間が経過するにつれて加速度は０となり、空気中の水クラスターは一定速度で等速運動をするようになる。この速度の終末速度ｖｇ０は上式をゼロと置くことにより次式となる。
【００２９】
ｖｇ０＝２ｒ２（ρｐ−ρｆ）ｇ／（９η）
次に、電荷を持つ水クラスターの重力方向と直角方向の運動について解析する。電荷を持つ水クラスターの電荷をｑとすると、電場の大きさがＥのとき、電荷を持つ水クラスターに対して重力方向と直角方向に運動するときの運動方程式は次式となる。
【００３０】
ｍ・（ｄｖｔ／ｄｔ）＝ｑＥ−６πηｒｖｔ
従って、このときの終末速度ｖｔ０は、
ｖｔ０＝ｑＥ／（６πηｒ）
となる。ここで、電荷ｑ＝１．６０２１×１０−１９Ｃ（Ａ・ｓ）である。電界は、例えば、距離１０ｍｍの電圧印加電極と検出用電極間に１０００Ｖを印加したとすると、電界Ｅ＝１０００００Ｖ／ｍとなる。
【００３１】
ここで、１気圧、２５℃で、空気中の水クラスターの場合を考える。水の密度ρｐ＝９９７．０４ｋｇ／ｍ３、空気の密度ρｆ＝１．１８４３ｋｇ／ｍ３、空気の粘性率η＝０．００００１８２、重力加速度ｇ＝９．８０７ｍ／ｓ２、電荷ｑ＝１．６０２１×１０−１９Ｃ（Ａ・ｓ）、電界Ｅ＝１０００００Ｖ／ｍとして、計測結果と計算結果の比較を行なった。図４（ａ）は、呼息時間を約３秒間とした場合の呼吸１回の本発明による計測結果、図４（ｂ）は、上記の考え方に基づく計算結果を示した。計算に当たっては、半径が０．０１μｍから０．５μｍの範囲にある呼気中の水クラスターが、電圧印加電極と検出電極の長さが５０ｍｍで両電極間の距離が１０ｍｍのときに、両電極で囲まれた空間に導入された際に瞬時に電荷を帯びて検出されることを想定している。また、電荷を持つ水クラスターは両電極間で囲まれた空間を通り過ぎる前に、検出電極に衝突すれば検出されると考え、計測結果は、両電極間で囲まれた空間に存在する多数の点から検出電極に到達するまでの時間の度数分布として表した。図４に示す結果は、本発明において、呼気がピークの半値幅（ｆｕｌｌ  ｗｉｄｔｈ  ａｔ  ｈａｌｆ  ｍａｘｉｍｕｍ）数秒程度で観測される理由がほぼ説明されることを示している（観測結果のピーク半値幅は２秒程度に対し、計算結果のピーク半値幅は４秒程度である）。また、これらの結果から、検出できる水クラスターの半径は１μｍ程度以下であると考えられる。
【００３２】
検出電極１１ｂで検出された電流は、センサーアンプ１８ａで、増幅後、電圧に変換され、ＣＰＵに転送される。
【００３３】
また、図５に示すように、センサー部１ｂには、呼気を試料導入口４ｃとアルコールセンサーヘッド５ｃに導入しやすいように、つば２０を設けることは有効である。さらに、図１で示したシステムに加えて、図６に示すように、移動体の位置情報を得るためのＧＰＳアンテナ２１ａを設けることは有効である。
【００３４】
図７には、センサーの回路構成を示した。センサー部１ｄには、センサー電源１７ｂから電圧が供給され、センサー部１ｄで得られた呼気の信号は、センサーアンプ１８ｂで、増幅、電圧への変換が行なわれ、ＣＰＵ２３ａに送られる。同様に、アルコールセンサーヘッドで得られたアルコールの信号は、アルコールセンサーアンプ２２で増幅され、ＣＰＵ２３ａに送られる。さらに、ＧＰＳアンテナ２１ｂ、ＧＰＳ受信機２５で得られた位置情報は、ＣＰＵ２３ｂに送られる。最終的に得られる情報は、呼気の信号、アルコールの信号、位置の情報、時間の情報（内部時計の補正は、ＧＰＳ信号から取得し実施する）となり、これを、記憶装置に記憶する。具体的な例としては、メモリーカードインターフェイス２６を介して、メモリーカードに蓄積する。図８には、無線ネットワークで得られた情報を情報センターに送る場合を示したが、このような形で得られた情報を活用することも有効である。
【００３５】
図９には、図１に示したシステムを用いて、人間の鼻呼吸を連続して計測した例を示している。ひとつのピークが１回の呼吸に対応しており、一呼吸の分解能を有していることがわかる。ところで、このようなＳ／Ｎ比の良いデータを取得するには、以下のような大きなポイントがある。
【００３６】
図１０には、図２で示した電極保持部１３ａの材質の違いによる呼気ピークの信号強度の違いを示した。
【００３７】
電圧印加電極１０ａ、検出電極１１ａはステンレススチールなどの金属で構成しなければならないが、そのまわりの設置された、水クラスターに晒される電極保持材１３ａの材質は非常に重要である。
径の小さい水クラスターを検出する装置において、水を吸収する材質を使用すると、水クラスターが部材に吸収され検出に関与する水クラスターが減少し、検出感度が大幅に減少する。図１０で示した図は、横軸に材料の吸水率、縦軸に呼気ピークの強度をプロットしたものである。切削可能なセラミックのような吸水率が０の部材、ポリアセタールのような吸水率が０．２５程度の素材、ポリ塩化ビニルのような吸水率が０．４程度の素材を、電極保持材に用いて、呼気ピークを計測した場合の結果である。すなわち、吸水率が０．４程度ではわずかに呼気ピークが検出される程度であるのに対して、吸水率が０．２５程度で呼気ピークが明確に観測されはじめ、その一方で、吸水率が０になると、呼気ピークの強度が、吸水率０．４の場合に比べて６桁以上上昇する。これは、本発明において、水クラスターに晒される電極保持材の材質が非常に重要であることを示している。
したがって、電極保持材料として、吸水率０以上、０．４以下程度の材料を用いることが必要であり、好適には、０以上０．２５以下程度の材料を用いると良い。また、吸水率が０．４よりも高い材料であっても、感度調節等によりピークを検出することができるが、その分、ノイズを含みやすくなる可能性はある。
【００３８】
一方、図１１には、図１に示す試料導入部４ａにおける呼気導入位置による呼気ピーク強度の依存性を示した。縦４ｃｍ、幅０．６ｃｍの開口部に対して、内径１０ｍｍのシリコンチューブの中心を、開口部端から、０．５ｃｍ、１．５ｃｍ、２．５ｃｍ、３．５ｃｍに配置した場合の呼気ピーク強度の変化を示した。当然のことながら、水クラスターが移動する時間が長い、上端の方が呼気ピーク強度は強いことはわかるが、２．５ｃｍの位置でも十分に計測できることがわかった。これは、センサー部を小型化するのに重要な情報であり、開口部としては、幅が０．６ｃｍ程度の場合（電圧印加電極と検出電極間距離が１ｃｍ程度）、縦の長さが１ｃｍ程度あれば計測できるレベルにあることがわかる。また、これは、電圧印加電極、あるいは検出電極として、重力方向の長さが１ｃｍ程度あれば良いことを示している。すなわち、電圧印加電極と検出電極を重力方向にほぼ平行に配置したとき、両電極間距離が１０ｍｍ程度、重力方向の長さが１０ｍｍ程度あれば呼気の検出には十分である。言い換えれば、呼気が導入される空間として、その開口部が１０ｍｍ×１０ｍｍ程度あれば呼気の検出には十分であると言える。
逆に、さらに縦に長い開口部を持つセンサー（すなわち、重力方向にさらに長い電圧印加電極及び検出電極）を使用すると、さらに感度が向上する。また、重力方向と垂直方向の両電極の幅を広げることも感度を向上させる上で有効であることは言うまでもない。
【実施例２】
【００３９】
本発明を用いると、自動車などの移動体における呼気アルコールセンサーに利用可能である。図１に示すように、半導体センサーのようなアルコールセンサーヘッド５ａであれば、センサー部１ａとアルコールセンサー部を一体化することが容易であり、しかも、呼気とアルコールの同時計測が可能となる。車などに設置する場合には、ステアリングホイールの後ろにあるコラムカバー上に固定してそこに向かって呼気を吐くか、センサー部だけを取り外し可能にして呼気を吐いて計測できるようにするか、いずれかとなる。
【００４０】
本発明を用いた場合の、飲酒チェックのアルゴリズムを図１２に示した。例えば、エンジンスタート後、運転者には、音声ガイダンスに従って、すぐにセンサー部１ａに向かって数秒間息を吐き出してもらう。呼気ピーク検出について、その強度、時間幅についてある閾値を設けておき、この値を上回らない場合は、再度呼気を吐き出してもらう。呼気ピーク強度、時間幅が十分の場合には、呼気とアルコールの同時計測を行なう。計測結果は、氏名、測定月日、時刻、場所、計測結果の情報について、メモリーカードなどに保存する。計測結果は、別途集計装置に保存することは有効で、これによって飲酒運転の履歴を管理することができる。また、アルコール（エタノール）が検出された場合には、呼気ピークの検出とアルコールピークの検出のタイミングが一致しているかを判断することも有効である。さらに、センサー部をステアリングホイールの後ろにあるコラムカバー上に固定する場合、走行中、停車中でも飲酒チェックを行うことができる。
【００４１】
本発明を用いて飲酒チェックを行なう際、定量性を確保するには、呼吸法を一定にしておくことが重要である。図１３に、呼吸法の相違による呼気ピークの強度変化を示した。図１３（ａ）、図１３（ｂ）、図１３（ｃ）、図１３（ｄ）、図１３（ｅ）は、それぞれ、通常の呼吸（３回計測）、胸式呼吸（３回計測、呼息時間１秒程度）、腹式呼吸（３回計測、呼息時間１秒程度）、胸式呼吸（３回計測、呼息時間３秒程度）、腹式呼吸（３回計測、呼息時間３秒程度）を示している。このとき、鼻とセンサー部の試料導入口との距離は一定にして計測を行なっている。呼吸の違いにより呼気ピークの強度が２桁程度異なるので、逆に、呼気ピーク強度が少なくとも、胸式呼吸（３回計測、呼息時間１秒程度）、あるいは、腹式呼吸（３回計測、呼息時間１秒程度）の場合以上に設定すれば、呼気アルコールの量を大幅に少なくみせることは非常に困難となる。図１４は、呼吸と連動した呼気アルコールの検出例を示しているが、同じ腹式呼吸でも呼息時間が異なると、呼気ピーク、アルコールピーク強度とも異なってくる。なお、呼気と呼気アルコールが見やすいように、呼気アルコールは反転させて表示させている。図１５は、呼気ピークとアルコールピーク強度との相関を示している。この結果は、呼気ピークをきちんと計測すれば（ある強度以上で、ある時間幅以上で）、呼気アルコールを少なくみせることは難しいことを示している。また、呼気ピーク強度と呼気アルコールピーク強度との関係式を用いれば、呼気ピーク強度で、呼気アルコール強度を補正することも可能となる。これにより、呼気アルコールを少なくみせようとすることはさらに困難となる。なお、ここに示したのは、アルコール濃度１０％のワインを２００ｍｌ飲酒して３０分経過した場合のデータである（精度の高いアルコールセンサーで計測した呼気アルコール濃度の値は、０．１０ｍｇ／Ｌである）。
【００４２】
また、図１６、図１７には、呼吸を連続で計測した場合の呼気と呼気アルコールの検出結果を示している。図１６のように、飲酒していない場合、呼気は計測されるが、呼気アルコールは検出されない。一方、図１７のように、飲酒している場合、呼気ピークに連動したアルコールが検出されている。また、呼気検出に比較して、半導体センサーを用いたアルコール検出では時間分解能が悪いので、ピークが重なって見えているが、これも飲酒している証拠となる。なお、呼気と呼気アルコールが見やすいように、呼気アルコールは反転させて表示させている。なお、ここに示したのは、アルコール濃度１０％のワインを２００ｍｌ飲酒して３０分経過した場合のデータである（精度の高いアルコールセンサーで計測した呼気アルコール濃度の値は、０．１０ｍｇ／Ｌである）。
【実施例３】
【００４３】
図１８のように、ヘッドセット２７に呼気導入口２８のみを設け、伝達チューブ２９を介して、ヘッドセット用センサー部３０ａで、呼吸の計測ができるとさらに応用範囲が広がる。図１９（ａ）には、ヘッドセット用センサー部３０ｂの構造を示した。ヘッドセット２７に設けられた呼気導入口２８から導入された呼気は、伝達チューブ２９を通過して、図１９（ｂ）に示すように、伝達チューブ用コネクター０３１ａを介して、試料導入管３２ａに送られる。試料導入管３２ａの先端は、センサー部１ｅの試料導入口４ｅの上部に設置され、ここから呼気がセンサー部に導入され、検出される。図２０（ｂ）のように、外気の影響を受けないように、また内径の細い伝達チューブを用いても送気ファン（あるいはダイアフラムポンプ）で呼気がセンサー部まで到達しやすくするためには、試料導入管３２ｂの先端部分で、センサー部１ｆの試料導入口を完全に覆ってしまうことも可能である。ただし、試料導入口を覆う部分は、吸水率の非常に低い、あるいは０の材料を用いる必要がある。
【００４４】
図１８に示すようなシステムを用いて計測した、呼吸の検出例を図２１に示す。通常の呼吸をしている段階で、急にアンモニア水のような悪臭を嗅いだ場合、その悪臭を体内に取り込まないようにするため、呼吸が非常に浅くその分早くなる。悪臭源を取り除くと、まずは深いゆっくりとした呼吸を経て、通常の呼吸に戻る。本発明を用いると、この過程が明確に観測できる。これをさらに理解しやすくするために、図２２に示すように、縦軸を呼気ピーク間の時間差、横軸をピーク強度の絶対値、あるいは相対値としてプロットすると（時間差−強度プロット）、図２３のような結果が得られる。すなわち、通常の呼吸（領域(１)）から、悪臭を嗅ぐと浅く早い呼吸になり（領域(２)）、悪臭源を取り除くとゆっくりとした深い呼吸になり（領域(３)）、やがては通常の呼吸に戻る（領域(４)）、という一連の過程が明確に把握できる。
【００４５】
これを応用すると、映像、音楽などに対する興味（脳の価値判断）を間接的に計測することができる。一般に、脳における心の活動状況を内部表現（イメージ）と考えることができるが、こうした脳内における心の感性情報の内部表現（イメージ）は、言語のほか、ジェスチャー、音声などを通して外部に表出される（感性情報の外部表現）と考えられる。呼吸もそのひとつと考えられ、その変化を検出することによって、映像、音楽などに対する興味（脳の価値判断）を間接的に計測することができる。
【００４６】
図２４に、その一例を示した。通常の呼吸をしている状態から、被験者にとって興味ある映像・音声を一定時間見せて聞かせ、その後、その映像・音声を停止するというものである。この結果に図２２に示す解析を行なってみると、図２５に示す解析結果となる。図２５（ａ）、図２５（ｂ）、図２５（ｃ）に、それぞれ、興味ある映像・音声を見て聞いていない最初の段階の呼吸、興味ある映像・音声を見て聞いている段階の呼吸、興味ある映像・音声を見終わった段階の呼吸について、時間差−強度プロットを行なった結果を示した。明らかに、興味ある映像・音声を見て聞いて入る段階の呼吸は変化しており、呼吸が浅くなっていることがわかる。これは、脳が映像や音声に興味を示している結果、緊張状態になり、それが呼吸の変化につながっていると考えられる。
このような技術を応用すると、これまでアンケート主体であったマーケティングに関して、生体反応を利用した新しいマーケティングが可能になる。
【産業上の利用可能性】
【００４７】
本発明は、非接触で非侵襲の呼気検出に利用可能である。自動車などの移動体における飲酒運転防止装置にも利用可能である。また、脳の価値判断を間接的に計測することができる。
【符号の説明】
【００４８】
１ａ・・センサー部
１ｂ・・センサー部
１ｃ・・センサー部
１ｄ・・センサー部
１ｅ・・センサー部
１ｆ・・センサー部
２ａ・・計測制御部    
２ｂ・・計測制御部
２ｃ・・計測制御部
２ｄ・・計測制御部
３ａ・・パワーインバータ
３ｂ・・パワーインバータ
３ｃ・・パワーインバータ
３ｄ・・パワーインバータ
４ａ・・試料導入口
４ｂ・・試料導入口
４ｃ・・試料導入口
４ｄ・・試料導入口
４ｅ・・試料導入口
５ａ・・アルコールセンサーヘッド
５ｂ・・アルコールセンサーヘッド
５ｃ・・アルコールセンサーヘッド
５ｄ・・アルコールセンサーヘッド
６ａ・・送気ファン部
６ｂ・・送気ファン部
７ａ・・ケーブル
７ｂ・・ケーブル
７ｃ・・ケーブル
７ｄ・・ケーブル
７ｅ・・ケーブル
７ｆ・・ケーブル
７ｇ・・ケーブル
７ｈ・・ケーブル
７ｉ・・ケーブル
８ａ・・インジケータランプ
８ｂ・・インジケータランプ
９ａ・・カバー
９ｂ・・カバー
１０ａ・・電圧印加電極
１０ｂ・・電圧印加電極
１０ｃ・・電圧印加電極
１１ａ・・検出電極
１１ｂ・・検出電極
１１ｃ・・検出電極
１２ａ・・送気口
１２ｂ・・送気口
１３ａ・・電極保持部
１３ｂ・・電極保持部
１４・・送気ファン
１５・・接点
１６ａ・・メモリーカードスロット
１６ｂ・・メモリーカードスロット
１６ｃ・・メモリーカードスロット
１６ｄ・・メモリーカードスロット
１７ａ・・センサー電源
１７ｂ・・センサー電源
１８ａ・・センサーアンプ
１８ｂ・・センサーアンプ
１９ａ・・径の小さな電荷を持つクラスター
１９ｂ・・径の小さな電荷を持つクラスター
２０・・つば
２１ａ・・ＧＰＳアンテナ
２１ｂ・・ＧＰＳアンテナ
２２・・アルコールセンサーアンプ
２３ａ・・ＣＰＵ
２３ｂ・・ＣＰＵ
２４ａ・・電源
２４ｂ・・電源
２５・・ＧＰＳ受信機
２６・・メモリーカードインターフェイス
２７・・ヘッドセット
２８・・呼気導入口
２９・・伝達チューブ
３０ａ・・ヘッドセット用センサー部
３０ｂ・・ヘッドセット用センサー部
３０ｃ・・ヘッドセット用センサー部
３１ａ・・伝達チューブ用コネクター
３１ｂ・・伝達チューブ用コネクター
３２ａ・・試料導入管
３２ｂ・・試料導入管
３３・・スピーカ
【図１】
0005767843.tif 000002
【図２】
0005767843.tif 000003
【図３】
0005767843.tif 000004
【図４】
0005767843.tif 000005
【図５】
0005767843.tif 000006
【図６】
0005767843.tif 000007
【図７】
0005767843.tif 000008
【図９】
0005767843.tif 000009
【図１０】
0005767843.tif 000010
【図１１】
0005767843.tif 000011
【図１２】
0005767843.tif 000012
【図１３】
0005767843.tif 000013
【図１４】
0005767843.tif 000014
【図１５】
0005767843.tif 000015
【図１６】
0005767843.tif 000016
【図１７】
0005767843.tif 000017
【図１９】
0005767843.tif 000018
【図２０】
0005767843.tif 000019
【図２１】
0005767843.tif 000020
【図２２】
0005767843.tif 000021
【図２３】
0005767843.tif 000022
【図２４】
0005767843.tif 000023
【図８】
0005767843.tif 000024
【図１８】
0005767843.tif 000025
【図２５】
0005767843.tif 000026